Podtech/llm-jp-corpus-v4-ja_patent huggingface dataset:
(57)【要約】      （修正有）【課題】切り込みを入れフィットし肩に翔けやすくして、首に隙間が少なくフィットさせる事が出来、寒い冬など布団の隙間で肩が冷える人には肩にかけて寝ると冷えを防ぎ又、肩の内側に磁器、ホカロン（登録商標）、貴重品等を入れるポケットを付ける事も可能とするネックカットタオルを提供する。【解決手段】従来のフェイスタオルをＴの字又は楕円形・角型・Ｖ型もしくは首形にカット加工する。従来のバスタオル、ピーチタオルをＴの字又は楕円形・角型・Ｖ型もしくは首形にカット加工する。【選択図】図２
0003112616.tif 000002
【実用新案登録請求の範囲】
【請求項１】
一枚のフェースタオルをＴの字又は楕円形、角型、Ｖ型、首型にカット加工。
【請求項２】
一枚のバスタオル＆ピーチタオルをＴの字又は楕円形、角型、Ｖ型、首型にカット加工。
【考案の詳細な説明】
【技術分野】
【０００１】一枚のフェースタオルをＴの字又は楕円形、角型、Ｖ型、もしくは首型にカット加工。【０００２】一枚のバスタオル＆ピーチタオルをＴの字又は楕円形、角型、Ｖ型、もしくは首型にカット加工。
【考案が解決しようとしている課題】
【０００３】従来のタオルは真っ直ぐの長方形であるため肩にかける場合首にフィットしにくく隙間が開いてしまう。
【考案を解決するための手段】
【０００４】従来のタオルをＴの字又は楕円形、角型、Ｖ型、もしくは首型にカットする。
【考案の効果】
【０００５】首回りのフィットしにくい部分をカットする事で、隙間が開きにくくなり首にピタとフィットする。
【考案を実施するための最良の形態】
【０００６】タオルを肩に掛けた時に、首周りに隙間が開かない様にピタッとフィットし易くする為一枚のタオルをＴの字又は楕円形、角型、Ｖ型、もしくは首型にカット加工する。
【産業上の利用可能性】
【０００７】本考案はタオルに関する物で、一枚のフェースタオルをＴの字又は楕円形、角型、Ｖ型、もしくは首型にカット加工する事で首にフィットし、理容、美容院等で使用する場合切り毛が入りにくくなり且つ肩に掛けやすい。又温泉、フェーシャルマッサージ等で毛をまとめターバンする場合でも長さが長くなる為、縛り易い。
食事、飲み物等、こぼしやすい人に、首に巻いてあげる事で衣服の汚れを少なくする。
【図面の簡単な説明】
【０００８】
【図１】一枚のフェースタオルをＴの字にカット加工。
【０００９】
【図２】中心に縦の切り込みと首の部分を楕円形又は首の型にカット加工。
【図１】
0003112616.tif 000003
【図２】
0003112616.tif 000004
【手続補正書】
【提出日】平成17年4月20日(2005.4.20)
【手続補正１】
【補正対象書類名】実用新案登録請求の範囲
【補正対象項目名】全文
【補正方法】変更
【補正の内容】
【実用新案登録請求の範囲】
【請求項１】
一枚のフェースタオルをＴの字又は楕円形、角型、Ｖ型、首型にカット加工したネックカットタオル。
【請求項２】
一枚のバスタオル＆ピーチタオルをＴの字又は楕円形、角型、Ｖ型、首型にカット加工したネックカットタオル。
(57)【要約】      （修正有）【課題】中央部にキャラクター人形等があるという事は、話題が増え、ドリームが広がるストローの提供。【解決手段】一本のストローの中央部にキャラクター人形等を乗せた上下盤が円柱形の中で動きながら上下する。遊び心が増え、楽しく呑む事が出来る。【選択図】図１
0003112614.tif 000002
【実用新案登録請求の範囲】
【請求項１】
一本のストロー本体中央部に長さ約７ｃｍ、直径約１．５ｃｍの円柱形を設ける。円柱形の中には円盤を設け左右に比対照形の穴（ジュース等の出入り口）を設け、円盤の中央部にキャラクター人形等を置く。
ジュース等を呑むことにより円盤がジュース等と供に上部へと移動し楽しくジュース類を呑む道具とする。
【考案の詳細な説明】
【技術分野】
【０００１】  本考案はストロー中央部にキャラクター人形等を設けたストローに関するものである。
【背景技術】
【０００２】  今まではジュース（その他）を一本のストローで呑んでいた。
【考案の開示】
【考案が解決しようとする課題】
【０００３】  一本のストロー中央部にキャラクター人形等があるという事は、話題が増え、ドリームが広がる。
【課題を解決するための手段】
【０００４】  本考案は一本のストローの中央部にキャラクター人形等が円柱形の中で動きながら上下する。
【考案の効果】
【０００５】  遊び心が増え、楽しく呑む事が出来る。
【考案を実施するための最良の形態】
【０００６】  円柱形の中は軽量のキャラクター人形等（空想動物等）が上下するようにする。
【実施例】
【０００７】  以下、添付図面に従って実施例を説明する。１のストロー本体をジュース又はカクテル等のグラスに挿し６ストロー呑み口で吸引することにより４の上下盤が上下するようにする。
【図面の簡単な説明】
【０００８】
【図１】本考案のドリームストローの正面図である。
【図２】円柱形の拡大図である。
【符号の説明】
【０００９】  １  下部ストロー本体
２  伸縮ストロー
３  円柱形ストロー
４  上下盤
５  キャラクター人形
６  上部ストロー
７  ジャバラ
８  ジュース等出入り口穴
【図１】
0003112614.tif 000003
【図２】
0003112614.tif 000004
【手続補正書】
【提出日】平成17年4月15日(2005.4.15)
【手続補正１】
【補正対象書類名】実用新案登録請求の範囲
【補正対象項目名】全文
【補正方法】変更
【補正の内容】
【実用新案登録請求の範囲】
【請求項１】
一本のストロー本体中央部に円柱形を設け、円柱形の中にはキャラクター人形等を乗せた円盤を設け、ジュース等を呑むことにより円盤が上下に移動し楽しくジュース類を呑むストロー。
(57)【要約】      （修正有）【課題】睡眠中に、いつも暖かい状態で寝られるようにするためには、毛布と上布団が離れることがないようにしなければならない。この課題を解決するために考案したものである。【解決手段】ファスナー３を取り付けた上布団カバー１と毛布２を糸で縫い、ファスナー３の所から上布団４を入れて使用する。【選択図】図１
0003112615.tif 000002
【実用新案登録請求の範囲】
【請求項１】
１枚の布（上面）と毛布（下面）を重ね、周りを糸で縫い合わせ、縦の１カ所にファスナーを取り付け、その中に上布団を入れることによって、毛布と上布団のずれをなくした上布団カバー一体型毛布。
【請求項２】
従来使用さえているファスナー付き上布団カバーの底面に毛布を重ね、周りを糸で縫いつけて、ファスナーから上布団を入れることによって、毛布と上布団のずれをなくした上布団カバー一体型毛布。
【考案の詳細な説明】
【技術分野】
【０００１】本考案は上布団カバーと毛布を一体化した寝具に関するものである。
【背景技術】
【０００２】  これまでの毛布は上布団と切り離されたもので、朝起きると毛布と上布団が離れ、毛布だけ着ている場合や上布団だけ着ている場合があり、寒い思いをすることがあった。特に寝相の悪い者や子どもに多く見られた。
【考案の開示】
【考案が解決しようとしている課題】
【０００３】  睡眠中に、いつも暖かい状態で寝られるようにするためには、毛布と上布団が離れることがないようにしなければならない。この課題を解決するために考案したものである。
【課題を解決するための手段】
【０００４】  １枚の布（上面）と毛布（下面）を重ね、周りを糸で縫い合わせ、縦の１カ所にファスナーを取り付け、その中に上布団を入れることによって、毛布と上布団のずれをなくす。図１
【考案の効果】
【０００５】  上布団のカバーと毛布が一体化し、上布団がその中に収まったことで、上布団の暖かさと毛布の暖かさが相乗効果をだし、朝まで暖かさを保持することができる。
【０００６】  屋外に干すときや洗濯するときには、中の上布団を取り出すことによって、従来通りに洗濯を行うことができる。
【考案を実施するための最良の形態】
【０００７】  本考案の上布団カバー一体型毛布は、図１に示すように、ファスナー３を取り付けた上布団カバー１と毛布２を糸で縫い、ファスナー３の所から上布団４を入れて使用する。その際、上布団カバー１の大きさは毛布より大きめにする。【０００８】  １枚の上布団カバー１と毛布２で形成し、上面は保温効果のために穴のあいていない布で構成する。【０００９】  従来使用されているファスナー付き上布団カバーの底面に毛布を重ね、周りを糸で縫いつけて、毛布と上布団のずれをなくした上布団カバー一体型毛布にすると保温効果が得られる。
【図面の簡単な説明】
【００１０】
【図１】本発明の断面図
【図２】本発明の分解斜視図
【符号の説明】
【００１１】  １  上布団カバー
２  毛布
３  ファスナー
４  上布団
５  縫い目
【図１】
0003112615.tif 000003
【図２】
0003112615.tif 000004
【手続補正書】
【提出日】平成17年4月25日(2005.4.25)
【手続補正１】
【補正対象書類名】実用新案登録請求の範囲
【補正対象項目名】全文
【補正方法】変更
【補正の内容】
【実用新案登録請求の範囲】
【請求項１】
１枚の布と毛布を重ね、周りを糸で縫い合わせ、縦の１カ所にファスナーを取り付け、その中に上布団を入れることによって、毛布と上布団のずれをなくした上布団カバー一体型毛布。
【手続補正２】
【補正対象書類名】明細書
【補正対象項目名】全文
【補正方法】変更
【補正の内容】
【考案の詳細な説明】
【技術分野】
【０００１】本考案は上布団カバーと毛布を一体化した寝具に関するものである。
【背景技術】
【０００２】  これまでの毛布は上布団と切り離されたもので、朝起きると毛布と上布団が離れ、毛布だけ着ている場合や上布団だけ着ている場合があり、寒い思いをすることがあった。特に寝相の悪い者や子どもに多く見られた。
【考案の開示】
【考案が解決しようとしている課題】
【０００３】  睡眠中に、いつも暖かい状態で寝られるようにするためには、毛布と上布団が離れることがないようにしなければならない。この課題を解決するために考案したものである。
【課題を解決するための手段】
【０００４】  １枚の布と毛布を重ね、周りを糸で縫い合わせ、布の縦の１カ所にファスナーを取り付け、その中に上布団を入れることによって、毛布と上布団のずれをなくす。
図１
【考案の効果】
【０００５】  上布団のカバーと毛布が一体化し、上布団がその中に収まったことで、上布団の暖かさと毛布の暖かさが相乗効果をだし、朝まで暖かさを保持することができる。
【０００６】  屋外に干すときや洗濯するときには、中の上布団を取り出すことによって、従来通りに洗濯を行うことができる。
【考案を実施するための最良の形態】
【０００７】  本考案の上布団カバー一体型毛布は、図１に示すように、ファスナー３を取り付けた上布団カバー１と毛布２を糸で縫い、ファスナー３の所から上布団４を入れて使用する。その際、上布団カバー１の大きさは毛布より大きめにする。【０００８】  １枚の上布団カバー１と毛布２で形成し、上面は保温効果のために穴のあいていない布で構成する。
【図面の簡単な説明】
【０００９】
【図１】本考案の断面図
【図２】本考案の分解斜視図
【符号の説明】
【００１０】  １  上布団カバー
２  毛布
３  ファスナー
４  上布団
５  縫い目
(57)【要約】      （修正有）【課題】呑口を二本設けることにより相手（友人、その他）と同時に呑むことが出来、話題が増え、ドリームが広がるストローの提供。【解決手段】一本のストローの上部に球形のボールを付けその球形のボールの上部から二本のストローに分かれる。球形のボールの中は二枚の板（プラスチック製）が回り板に記入した文字が読み取れるようにする（例  Ｉ  Ｌｏｖｅ  Ｙｏｕ、Ｙｅｓ・Ｎｏ、ＫＩＣＫ  ＯＦＦ、ＰＬＡＹ  ＢＡＬＬ．ｅｔｃ）。このことにより相手（友人、その他）と同時に呑むことが出来、遊び心が増え、楽しく呑む事が出来る。【選択図】図１
0003112612.tif 000002
【実用新案登録請求の範囲】
【請求項１】
一本のストロー本体上部に球形のボールを設け球形のボールやや上部より二本のストローを設け、相手と二人でジュース（その他）を呑むストロー。そして、球形のボールの中に回転板（プラスチック製）も設け回転板には文字を記入しジュース類を呑む道具とする。
【考案の詳細な説明】
【技術分野】
【０００１】  本考案は呑口を二本設けたストローに関するものである。
【背景技術】
【０００２】  今まではジュース（その他）を一本のストローで呑んでいた。
【考案の開示】
【考案が解決しようとする課題】
【０００３】  呑口が二本あるという事は相手（友人、その他）と同時に呑むことが出来、話題が増え、ドリームが広がる。
【課題を解決するための手段】
【０００４】  本考案は一本のストローの上部に球形のボールを付けその球形のボールの上部から二本のストローに分かれる。
【考案の効果】
【０００５】  遊び心が増え、楽しく呑む事が出来る。
【考案を実施するための最良の形態】
【０００６】  球形のボールの中は二枚の板（プラスチック製）が回り板に記入した文字が読み取れるようにする。（例  Ｉ  Ｌｏｖｅ  Ｙｏｕ、Ｙｅｓ・Ｎｏ、ＫＩＣＫ  ＯＦＦ、ＰＬＡＹ  ＢＡＬＬ．ｅｔｃ）
【実施例】
【０００７】  以下、添付図面に従って実施例を説明する。１のストロー本体をジュース又はカクテル等のグラスに挿し５ストロー呑み口を相手と二人で同時にジュースを呑む。吸引することにより、２の球形の中にある４の文字板が回転する。また、文字板の換わりに文字入りの回転球プラスチック製（サッカーボール、バスケットボール、野球ボール、ゴルフボール等）を入れて使用する。
【図面の簡単な説明】
【０００８】
【図１】本考案のラブストローの正面図である。
【図２】球形ボールの拡大図である。
【符号の説明】
【０００９】１  ストロー本体
２  球形の回転板付きボール
３  回転板軸受け
４  文字入り回転板（プラスチック製）
５  ストロー呑み口（ジャバラ付き）
６  ジャバラ
【図１】
0003112612.tif 000003
【図２】
0003112612.tif 000004
【手続補正書】
【提出日】平成17年4月15日(2005.4.15)
【手続補正１】
【補正対象書類名】実用新案登録請求の範囲
【補正対象項目名】全文
【補正方法】変更
【補正の内容】
【実用新案登録請求の範囲】
【請求項１】
一本のストロー本体上部に球形のボールを作り、球形のボールやや上部より二本のストローを付け、球形のボールの中にプラスチック製の回転板を設け、相手と二人でジュース類を呑むストロー。
(57)【要約】【課題】  地震の時、一般家具、医療機器、設備機械等の転倒により怪我をしたり死亡したりする事を少なくする。【解決手段】  本考案は、一般家具、医療機器、設備機械などの本体の底部に設けられる転倒防止装置であって、前記本体の底部において前方へ付勢された状態で収納された耐震飛び出し棒と、前記耐震飛び出し棒を収納位置に保持するフックを備えるとともに、前記本体の前部において下方へ付勢された状態で設けられ、前記本体の転倒時に接地面により上方へ押し上げられるように構成された地震感知ストッパーと、を具備し、前記本体が前方へ転倒すると前記地震感知ストッパーの上昇により前記フックが前記耐震飛び出し棒から外れ、前記耐震飛び出し棒が前方へ飛び出すように構成されていることを特徴とする。【選択図】図２
0003112613.tif 000002
【実用新案登録請求の範囲】
【請求項１】
地震時に耐震棒が飛び出して一般家具、医療機器、設備機械などの重量中心点を、後方にずらし転倒防止させる装置。
【考案の詳細な説明】
【考案が解決しようとする課題】
【０００１】地震の時一般家具、医療機器、設備機械等の転倒により怪我、死亡する事を少なくする。
【背景技術】
【０００２】一般家具、医療機器、設備機械などの転倒接地点を前方に移動する事により、後方の浮き上がりを抑え、本体の重量中心点が前部に出ずらくする。
【図面の簡単な説明】
【０００３】
【図１】常時設置状態・飛び出し棒押さえ込み状態
【０００４】
【図２】地震感知ストッパーのフックが外れ、耐震飛び出し棒が出ている状態（全面左、右２本取付）
【０００５】
【図３】正面図
【０００６】
【図４】本体接地点ＡからＢに移動する事により本体の重量を後方に残す。Ｃは、重量中心点
【図１】
0003112613.tif 000003
【図２】
0003112613.tif 000004
【図３】
0003112613.tif 000005
【図４】
0003112613.tif 000006
【手続補正書】
【提出日】平成17年6月6日(2005.6.6)
【手続補正１】
【補正対象書類名】実用新案登録請求の範囲
【補正対象項目名】全文
【補正方法】変更
【補正の内容】
【実用新案登録請求の範囲】
【請求項１】
一般家具、医療機器、設備機械などの本体の底部に設けられる転倒防止装置であって、
前記本体の底部において前方へ付勢された状態で収納された耐震飛び出し棒と、前記耐震飛び出し棒を収納位置に保持するフックを備えるとともに、前記本体の前部において下方へ付勢された状態で設けられ、前記本体の転倒時に接地面により上方へ押し上げられるように構成された地震感知ストッパーと、を具備し、
前記本体が前方へ転倒すると前記地震感知ストッパーの上昇により前記フックが前記耐震飛び出し棒から外れ、前記耐震飛び出し棒が前方へ飛び出すように構成されていることを特徴とする転倒防止装置。
【請求項２】
前記耐震飛び出し棒に対する係合方向に付勢され、前方へ飛び出した前記耐震飛び出し棒に係合する引っかけストッパーと、前記引っかけストッパーの前記耐震飛び出し棒に対する係合状態を解除するためのストッパー解除用レバーとをさらに具備することを特徴とする請求項１に記載の転倒防止装置。
【手続補正２】
【補正対象書類名】明細書
【補正対象項目名】全文
【補正方法】変更
【補正の内容】
【考案の詳細な説明】
【技術分野】
【０００１】
本考案は一般家具、医療機器、設備機械などの本体の底部に設けられる転倒防止装置に関する。
【背景技術】
【０００２】
地震の時、一般家具、医療機器、設備機械等の転倒により怪我をしたり死亡したりする事があった。
【考案の開示】
【考案が解決しようとする課題】
【０００３】
本考案の課題は、地震の時、一般家具、医療機器、設備機械等の転倒により怪我をしたり死亡したりする事を少なくすることにある。
【課題を解決するための手段】
【０００４】
本考案は、一般家具、医療機器、設備機械などの本体の底部に設けられる転倒防止装置であって、前記本体の底部において前方へ付勢された状態で収納された耐震飛び出し棒と、前記耐震飛び出し棒を収納位置に保持するフックを備えるとともに、前記本体の前部において下方へ付勢された状態で設けられ、前記本体の転倒時に接地面により上方へ押し上げられるように構成された地震感知ストッパーと、を具備し、前記本体が前方へ転倒すると前記地震感知ストッパーの上昇により前記フックが前記耐震飛び出し棒から外れ、前記耐震飛び出し棒が前方へ飛び出すように構成されていることを特徴とする。
【０００５】
本考案において、前記耐震飛び出し棒に対する係合方向に付勢され、前方へ飛び出した前記耐震飛び出し棒に係合する引っかけストッパーと、前記引っかけストッパーの前記耐震飛び出し棒に対する係合状態を解除するためのストッパー解除用レバーとをさらに具備することが好ましい。
【考案の効果】
【０００６】
一般家具、医療機器、設備機械などの転倒接地点を前方に移動する事により、後方の浮き上がりを抑え、本体の重量中心点が前部に出ずらくし、重量中心点を後方にずらすことができるため、転倒を防止することができる。
【考案を実施するための最良の形態】
【０００７】
図１及び図３は、棚本体の底部における耐震飛び出し棒の収納時を示すもので、常時の設置状態を表している。耐震飛び出し棒が押しバネによって前方へ付勢された状態にあり、地震感知ストッパーのフックが耐震飛び出し棒に係合し、本体の底部において地震飛び出し棒は収納状態（押さえ込み状態）で保持されている。地震感知ストッパーは前面左右２本取り付けられている。
【０００８】
図２は耐震飛び出し棒の飛び出し時を示すもので、本体が前方へ転倒すると、本体の前部においてバネにより下方へ付勢されていた地震感知ストッパーが上昇してフックが外れ、耐震飛び出し棒が前方へ飛び出し、出ている状態を表している。このとき、バネにより係合方向に付勢されている引っかけストッパーが耐震飛び出し棒に係合する。なお、ストッパー解除用レバーによって引っかけストッパーの耐震飛び出し棒に対する係合状態を解除できる。
【０００９】
図４は本体の前方への転倒時の様子を示すものである。耐震飛び出し棒なしの場合には、本体接地点がＡであり、接地点Ａ上に重量中心点Ｃがあるが、耐震飛び出し棒ありの場合には、本体接地点がＢに移動する事により本体の重量を後方に残すことができるので、転倒を防止できる。
【図面の簡単な説明】
【００１０】
【図１】常時設置状態である地震飛び出し棒の押さえ込み状態を示す断面図。
【図２】地震感知ストッパーのフックが外れ、耐震飛び出し棒が出ている状態を示す断面図。
【図３】正面図。
【図４】地震飛び出し棒なしの場合と地震飛び出し棒ありの場合とを比較して示す転倒時の説明図。
【手続補正３】
【補正対象書類名】図面
【補正対象項目名】図１
【補正方法】変更
【補正の内容】
【図１】
0003112613.tif 000007
【手続補正４】
【補正対象書類名】図面
【補正対象項目名】図２
【補正方法】変更
【補正の内容】
【図２】
0003112613.tif 000008
【手続補正５】
【補正対象書類名】図面
【補正対象項目名】図３
【補正方法】変更
【補正の内容】
【図３】
0003112613.tif 000009
(57)【要約】      （修正有）【課題】使いやすい専用のスプーンを提供する。【解決手段】カップの縁に掛けられるようになっており、クリップ１の形も丸い形になっており、掛けながらも、そのクリップを支点としてテコの原理でスプーンの持つ部分４を上下することで、スプーンの先の部分６がカップ内で動かせるような構造とする。また、スプーンの持つ部分は支点になる部分５の辺りで外側に曲げられており、スプーンを掛けたまま、カップ内の内容物を飲食するときに、顔に当たらないようにする。【選択図】図２
0003112694.tif 000002
【実用新案登録請求の範囲】
【請求項１】
スチール又はプラスチックやポリプロピレンのような材質からなり、通常のスプーンの柄の部分を加工し、カップの縁に挟んでおくクリップの機能を追加したスプーン。
【考案の詳細な説明】
【技術分野】
【０００１】本考案は、スチール又はプラスチックやポリプロピレンなどのような材質からなり、マグカップ等にインスタント食品の粉末を入れ、お湯で溶いたものを飲食する時に使う専用のスプーンに関する。
【背景技術】
【０００２】従来の通常のスプーンでは、単にかき混ぜて、インスタント食品の粉末をある程度溶いた後、そのスプーンはカップに入れたままか、どこかによけておく必要がある。また、カップに入れたままカップ内の内容物を飲食するときに、顔のほうにスプーンがずれ落ちてこないようにする機能を備えていない。
【考案の開示】
【考案が解決しようとする課題】
【０００３】コーヒーセットなどは受け皿がセットとしてついているので、内容物をかき混ぜた後のスプーンはその受け皿に除けておけばよいが、マグカップなどを使うときはわざわざ受け皿は用意することはないので、かき混ぜた後のスプーンはカップに入れっぱなしとなるか、外によけるところを探すことになる。また、インスタント食品の素が溶け切らずに残るときがあるので、かき混ぜながら飲食する必要があるが、スプーンを入れっぱなしで飲食するとスプーンが動いて邪魔になる。
【課題を解決するための手段】
【０００４】スプーンをカップに入れたときにスプーンの柄の部分とカップの縁の部分が当たる辺りに丸い形のクリップを備える。また、カップからはみ出る部分は外側に曲げて、飲食中に顔に当たらないようにする。また、クリップを支点としたとき、曲げられたスプーンの持つ部分を、カップを持ちながら親指で押すことにより、スプーンの先をテコの原理によりカップの中で動かして、内容物をかき混ぜられるようにする。
【考案の効果】
【０００５】カップ内のインスタント食品の粉末をお湯などで溶いた後、スプーンを外に除けておく必要が無くカップの縁に掛けておくことができる。また、スプーンの持つ部分が外側に曲げられていることにより、スプーンを引っ掛けたまま内容物を飲食するとき、スプーンが顔に当たることはない。次に、クリップの部分を丸い形に加工しておくことで、スプーンを引っ掛けたまま、そのクリップの部分を支点として、持つ部分を上下することによりスプーンの先がカップ内でテコの原理で動き内容物をかき混ぜることが出来る。
【考案を実施するための最良の形態】
【０００６】図１の符号１の部分がクリップになっており、図２のようにカップの縁に掛けられるようになっている。クリップの形も図１の符号１のように丸くなっており、図２のように掛けながらも、そのクリップを支点として、テコの原理でスプーンの符号４の部分を上下することで、符号６の部分がカップ内で動かせるような構造とする。【０００７】また、図２の符号４は図のように符号５の辺りから曲げられており、図４のようにスプーンを掛けたままカップ内の内容物を飲食するときに、顔に当たらないようにする。【０００８】図１の符号１のクリップはカップなどの縁に掛けるようになっているが、少し弾力があり、ある程度しっかり挟むことができ、カップを傾けてもずれないものとする。【０００９】図１の符号２の長さは二、三種類ほどサイズを用意し、カップの深さに合わせて、購入できるようにする。タイプは通常のマグカップサイズと、それより長めと短めを用意するのが理想である。【００１０】図３のようにクリップ部分とスプーン部分と別々に作った場合、符号７の部分でスプーンをクリップにはめ込む。主に、スプーン部分をスチール製などにした場合にはクリップと別々に作る。【００１１】図１の円い点線部分の符号３は、かき混ぜたときに混ざりやすいように、スプーンの先端を平らにカットした形にしたもの。
【図面の簡単な説明】
【００１２】
【図１】  本考案に係るクリップ付きスプーンの図である。
【図２】  本考案に係るクリップ付きスプーンをカップに掛けた図である。
【図３】  本考案に係るクリップ付きスプーンのクリップの部分をスプーンと別々に作った場合の一例の図である。
【図４】  本考案に係るクリップ付きスプーンをカップにかけたまま飲食している図である。
【符号の説明】
【００１３】  １・・・クリップ
２・・・スプーンの長さ
３・・・スプーンの先端の形を示す
４・・・スプーンの持つ部分
５・・・支点になる部分
６・・・スプーンの先の部分
７・・・スプーンをクリップにはめ込む部分
８・・・クリップと別々に作った場合のスプーン
９・・・本考案のテコの原理を利用したクリップ付きスプーン
【図１】
0003112694.tif 000003
【図２】
0003112694.tif 000004
【図３】
0003112694.tif 000005
【図４】
0003112694.tif 000006
(57)【要約】      （修正有）【課題】清潔なスリッパを実現することを目的とする。【解決手段】支販のスリッパ１使用面に、スリッパ用樹脂網状中敷き４を装着する。装着方法は、スリッパ用紙中敷き装着テープ、ワンタッチ装着部が考えられる。ワンタッチ装着部はマジックテープ等が使用され、樹脂成形の際に溶着されるか、一体成形される。【選択図】図５
0003112693.tif 000002
【実用新案登録請求の範囲】
【請求項１】
本体部分が、抗菌・滅菌効果のある紙で製造され、下面に装着部分を有するスリッパ用中敷き。
【請求項２】
本体部分が、抗菌・滅菌効果のある樹脂成形で製造され、下面に装着部分を有するスリッパ用中敷き。
【請求項３】
本体部分が、抗菌・滅菌効果のある樹脂網状成形により製造され、表面部分に凸部を有し、下面に装着部分を有するスリッパ用中敷き。
【請求項４】
本体部分が、抗菌・滅菌効果のある紙で立体製造され、下面に装着部分を有するスリッパ用中敷き。
【考案の詳細な説明】
【技術分野】
【０００１】  本考案は、スリッパ用中敷きに関する。
【背景技術】
【０００２】  靴専用中敷きは各社、多種類の製品を販売している。
（例えば、非特許文献１参照）【０００３】  靴専用中敷きを通常使用する人は本人に限られるが、スリッパの場合は条件が違う。病院等の公共の場所においては、他人の使用したスリッパを順次使用するのが通例であり衛生的とは言えない。一日の業務終了後においても衛生を保つために清潔・抗菌措置がとられているか疑問と言える。【０００４】  効果的と思われる滅菌ボックスは設備費が高く普及が遅々として進まないのが現状であり、家庭内においても足裏に皮膚疾患がある人とのスリッパの併用は避けたいものである。【０００５】  また、スリッパ自体が使い捨てを主眼に製造されているため、くり返しの洗濯はできず（ダンボール等で内部成形しているため）表面使用部分が汚れたら取り替えるのが通例であった。
【非特許文献１】  パンフレット参照。
【考案の開示】
【考案が解決しようとする課題】
【０００６】  以上に述べたように、靴の臭いを防いだり、靴内を清潔に保つための靴用中敷きは普及している。しかし、スリッパ用中敷きはなく、公共の場所では多数の人が共有し、家庭内においても数人が共有する場合があった。その際、足の裏に皮膚疾患を持つ人と共有する場合もあり清潔・衛生的とは言えなかった。【０００７】  靴の他人との共有は考えにくいのに対し、スリッパは不特定多数の人間との共有が通例で、靴以上に清潔・衛生的であるべきである。【０００８】  また、大規模病院・公共施設の一部には、滅菌ボックスが設置されこの内に一定時間収納することで滅菌が完了する。しかし、この方法は滅菌ボックスの設置に多額の費用が必要であり、家庭・小規模医院・ホテル等では普及が困難である。【０００９】  本考案は、このような従来有していた問題を解決しようとするものであり、清潔なスリッパを実現することを目的とするものである。
【課題を解決するための手段】
【００１０】  そして、本考案は上記目的を達成するためにスリッパ形状に合わせた紙中敷き・樹脂網状中敷きを提供する。【００１１】  紙中敷きの裏面には着脱用の両面テープを付け、使い捨てタイプとした。また、樹脂網状中敷き裏面にはマジックテープを溶着、同時成形で取り付け、洗濯によりくり返し使用できるものとした。（両面テープを使用し洗濯時に取り替える方法もある。）【００１２】  用途に適合した中敷きを選び、ナイロン製スリッパ（表面がツルツルの場合）には紙中敷きを使用し、ボア状スリッパにはマジックテープ使用のものが適している。【００１３】  また、樹脂網状中敷き表面には成形にて凸部分を作り、足裏のツボを同時に刺激し、血行促進、マッサージ効果を獲られるものとした。
【考案の効果】
【００１４】  上記したように本発明のスリッパ用中敷きを使用することで、公共の場所・家庭においても足裏を清潔に保つことができる。【００１５】  従来のスリッパのみの使用に比らべ、表面使用部分の汚れが少なく長期間使用できることにより経済的になった。【００１６】  従来のスリッパのみの使用に比らべ、中敷きの交換が簡単になり衛生を保つことにより、皮膚疾患の伝染を防ぐことが可能となった。【００１７】  他人とスリッパ等を共有するという不安（衛生・精神面）が少なくなった。
【考案を実施するための最良の形態】
【００１８】  以下、本考案の実施の形態を図１〜図１０に基づいて説明する。【００１９】  図においては、従来のスリッパ１、スリッパ用紙中敷き２、スリッパ用紙中敷き装着テープ３により使い捨て中敷きを示す。（図１、図２、図３）【００２０】  また、スリッパ用樹脂網状中敷き４、ワンタッチ装着部５により洗濯可能タイプの中敷きを、スリッパ用立体形状中敷き６により立体形状の中敷きを示す。（図４、図１０）【００２１】  上記、中敷きの装着状態を図５、図６で装着部、足裏刺激凸部詳細を図７、図８、図９で示す。【００２２】  以下、上記構成を説明する。支販のスリッパ１使用面に、スリッパ用紙中敷き２、スリッパ用樹脂網状中敷き４を装着する。（図１〜図６）
装着方法は、スリッパ用紙中敷き装着テープ３、ワンタッチ装着部５が考えられる。ワンタッチ装着部５はマジックテープ等が使用され、樹脂成形の際に溶着されるか、一体成形される。（図３、図４）【００２３】  スリッパ用紙中敷き装着テープ３、ワンタッチ装着部５によりスリッパ１に装置使用することで、スリッパ１使用部分の汚れの防止、皮膚疾患の伝染防止に適している。また、他人との共有による不快感もない。（図５、図６）【００２４】  スリッパ用樹脂網状中敷き４表面は凸成形され、同時に足裏を刺激することが可能になった。（図８、図９）【００２５】  スリッパ内、上部の汚れまで気にする人のため、スリッパ用立体形状中敷き６がある。これは、ホテル等において毎日取り替えることにより衛生・接客面効果がある。
スリッパ用立体形状中敷き６は、紙製・樹脂網状両方が考えられ、抗菌・滅菌対応の製品が適している。
【図面の簡単な説明】
【図１】  スリッパ側面図
【図２】  スリッパ平面図
【図３】  スリッパ用紙中敷き平面図
【図４】  スリッパ用樹脂網状中敷き平面図
【図５】  スリッパ用樹脂網状中敷き装着平面図
【図６】  スリッパ用樹脂網状中敷きＣ−Ｃ断面図
【図７】  スリッパ用紙中敷きＡ部拡大図
【図８】  スリッパ用樹脂網状中敷きＢ部拡大図
【図９】  スリッパ用樹脂網状中敷きＤ部拡大図
【図１０】  スリッパ用立体形状中敷き側面図
【符号の説明】
１    スリッパ
２    スリッパ用紙中敷き
３    スリッパ用紙中敷き装着テープ
４    スリッパ用樹脂網状中敷き
５    ワンタッチ装着部
６    スリッパ用立体形状中敷き
【図１】
0003112693.tif 000003
【図２】
0003112693.tif 000004
【図３】
0003112693.tif 000005
【図４】
0003112693.tif 000006
【図５】
0003112693.tif 000007
【図６】
0003112693.tif 000008
【図７】
0003112693.tif 000009
【図８】
0003112693.tif 000010
【図９】
0003112693.tif 000011
(57)【要約】      （修正有）【課題】手編み繊維の数を数える、ゲージを測る、編んでいる途中の編み物の長さを測る時にメジャーを別途用いる不便をなくす。【解決手段】編み針に１ｃｍ、５ｃｍ、１０ｃｍごとに目盛りをつけることによって単位長さ中の手編み繊維の数を数える、ゲージを測る。【選択図】図１
0003112691.tif 000002
【実用新案登録請求の範囲】
【請求項１】
編み針体に長さ１ｃｍ、５ｃｍ、１０ｃｍを単位として、この単位を組み合わせた目盛りをつけるとともに、その単位ごとに太さや、色彩を変えて見やすくした目盛りをつけたことを特徴とする編み針。
【考案の詳細な説明】
【技術分野】
【０００１】  本考案は、編み針に目盛りを付けることによって、編み物の長さをメジャーを使わずに簡単に測れる目盛り付き編み針に関するものである。
【背景技術】
【０００２】  従来は編み針に目盛りが付いていなかった。
【考案の開示】
【考案が解決しようとする課題】
【０００３】  従来は編み針に目盛りが付いていなかったので、次のような欠点があった。
手編み作業工程中に距離１０ｃｍの間に編まれた繊維の本数、目数、段数を勘定する必要がある場合、ゲージを測る時等メジャーをいちいち取り出し、該針上に平行にあてて読み取るという手間がかかっていた。また、作成中の編み物の長さを知りたい時も、わざわざメジャーを取り出しメジャーを編地上に平行にあてて読み取るという手間がかかっており、メジャーを探したり、取り出したりするのが余分な手間であった。
【課題を解決するための手段】
【０００４】  目盛りを編み針の円周の一部または円周の周回する線状として付ける。
目盛りは１ｃｍ、５ｃｍ、１０ｃｍの３単位とし、これらを全て付けたり、一つの単位のみにしたり、組み合わせは適宜行う。目盛りを見やすくするために１ｃｍ、５ｃｍ、１０ｃｍの単位ごとに単位線の太さを変えたり、１ｃｍは黒、５ｃｍは青、１０ｃｍは赤などの一例のように色分けをする。
【考案の効果】
【０００５】  上述のように、本考案の目盛り付き編み針は、手編み作業工程中に距離１０ｃｍの間に編まれた繊維の本数、目数、段数を勘定する必要がある場合、ゲージを測る場合、作成中の編み物の長さを知りたい時、わざわざメジャーを取り出しメジャーを編地上に平行にあてて読み取るという余分な手間がかからず、そのまま編み針を使って読み取れる。
【考案を実施するための最良の形態】
【０００６】  目盛りを編み針の円周の一部または円周の周回する線状として付ける。【０００７】  目盛りは１ｃｍ、５ｃｍ、１０ｃｍの３単位とし、これらを全て付けたり、一つの単位のみにしたり、編み棒の長さや用途によって組み合わせは適宜行う。【０００８】  目盛りを見やすくするために１ｃｍ、５ｃｍ、１０ｃｍの単位ごとに単位線の太さを変えたり、１ｃｍは黒、５ｃｍは青、１０ｃｍは赤などの一例のように色分けをする。【０００９】  目盛りの線に長さを表す数字を付ける時は、基準線（０ｃｍ）を編み針の尖った方につけて反対方向に向けて５，１０，１５，２０，２５，３０・・とつけていく場合、その反対に基準線（０ｃｍ）を編み針の尖った方の逆につけて、編み針の尖った方に向かって５，１０，１５，２０，２５，３０・・とつけていく場合、基準線（０ｃｍ）を編み針の中心付近につけて左右に５，１０，１５，２０，２５，３０・・とつけていく場合がある。両方が尖っている編み針の場合も同様である。
【実施例】
【００１０】  ゲージを測る時、試し編みなど手編み作業中、距離１０ｃｍに編み繊維材の本数、目数及び段数が幾つあるかを知りたい時は、編み棒針に付いている目盛りを編み物の端に合わせて、合わせた目盛りから１０ｃｍの長さを編み物から目盛りを透かして見ることによって決めてその中の数を数える。【００１１】  作成中の編み物の長さを知りたい時は、短い時には編み針１本を使い、編み棒針についている目盛りを編み物の端に合わせて、編み物のもう一方の端の目盛りを読むことによって長さを測る。【００１２】  作成中の編み物の長さを知りたい時は、長い時は図２のように編み針２本の目盛りの１部を重ねることによって、目盛りを長くしてほぼ編み針２本分の長さの範囲内の編み物の長さを１本の時と同様にして測る。
【図面の簡単な説明】
【００１３】
【図１】本考案の一例の正面図である。平面図も同等。
【図２】２本の編み針を使って長さを測る時のはかり方の例である。
【符号の説明】
【００１４】  （１ａ）  編み針
（１ｂ）  基準線
（１ｃ）（２ｃ）（３ｃ）（４ｃ）  １ｃｍの単位の目盛り
（１ｄ）（２ｄ）（３ｄ）  ５ｃｍの単位の目盛り
（１ｅ）（２ｅ）（３ｅ）  １０ｃｍの単位の目盛り
【図１】
0003112691.tif 000003
【図２】
0003112691.tif 000004
(57)【要約】【課題】  携帯に便利で、外出先での歯磨き・うがい・服薬などで水を使うときに使用できる折りたたみ式携帯用コップを提供する【解決手段】  紙、プラスチックまたはアルミ箔コップにおいて、コップの内法高さを円形底部の半径の略１．２倍の高さとし、折りたたんだとき、底部の円形の範囲から、周壁がはみ出すことなく、携帯に便利であることを特徴とする。コップの形状は円筒状の他、四角のコップもある。【選択図】  図１
0003112697.tif 000002
【実用新案登録請求の範囲】
【請求項１】
紙、プラスチックまたはアルミニウム箔の円筒状コップにおいて、コップの内法高さが円形底面の半径の１．１乃至１．３倍の高さであって、折り目に従い折りたたんだ状態で保管・携帯し、使用するときに折りたたみを解いて水を入れて使用するコップ。
【請求項２】
請求項１において、コップの内法高さを、四角形底面の一辺の長さの１．１乃至１．３倍としたコップ。
【考案の詳細な説明】
【技術分野】
【０００１】  本考案は、外出先で利用するのに便利な携帯用の、紙製、プラスチック製、またはアルミニウム箔（以下アルミ箔と呼ぶ）製のコップに関する。
【背景技術】
【０００２】  外出先で、歯磨き、うがい、服薬など水を使う機会は多く、コップがあればよいと思うことはよくある。携帯用コップとしては折りたたみ式紙コップがある（例えば、実開平５−８４２６４号）。また、うがい薬の付属品としての折りたたみ式紙コップがある（例えば、実用新案登録番号第３０２４６４３号）。
【考案の開示】
【考案が解決しようとする課題】
【０００３】  これらには次のような欠点があった。
実開平５−８４２６４号によれば、日紙コップを折りたたんで携帯用としているが、折りたたんだときに、円形をした底部の大きさの１．５〜２倍の大きさとなり、例えば、胸ポケットに入れて携帯するには抵抗がある。折りたたみを解いてコップ使うときに、円形のコップの口がつぶれ狭くなりがちなため使いにくい。また、実用新案登録番号第３０２４６４３号によれば、携帯性は優れるが、紙コップ自身が自立できないため、水を入れて状態でテーブル上に置けないという不具合がある。
本考案は、これらの欠点を除き、携帯に便利で使いやすい携帯用ミニコップを提供するものである。
【課題を解決するための手段】
【０００４】  上記の目的を達成するため、本考案のコップは、内法高さを円形底部の半径の略１．２倍の高さとし、折りたたんだときの大きさが、円形をした底部の大きさの１，１倍程度以下となるようにする。
【考案の効果】
【０００５】  本考案のコップは、高さを工夫したため、折りたたんだとき、底面の大きさからのはみ出しが小さく携帯に便利である。折りたたんだコップを、例えば、ビニール袋に詰めれば、外出のとき胸ポケットに入れても邪魔にはならない。
【考案を実施するための最良の形態】
【０００６】  図１は本考案によるコップの使用状態の斜視図を示し、図１（ｂ）はその断面を示す。図２は本考案のコップの折りたたみ順と折り目及び折りたたんだ状態を示す斜視図である。
【実施例１】
【０００７】  本考案による紙コップの実施例を図１、図２において説明する。図１（ａ）は本考案によるコップの使用状態を示す斜視図である。図１（ｂ）は図１（ａ）のＡ−Ａ断面図を示す。本考案によるコップの特徴は、コップの内法高さを円形底部の半径の略１．２倍としたところにある。底部の半径をｒ、内法高さをｈとしたとき、ｈ≒１，２ｒである。図２（ａ）は折り目に従い折りたたむ順を示した斜視図である。図２（ｂ）は折りたたみ順１及び２まで折りたたんだ状態を示す。折りたたみ順３及び４まで折りたたんだ状態を図２（ｃ）に示す。この状態で、例えばビニール袋詰めにすれば、バッグや胸ポケットに入れて外出できる。【０００８】  外出先で使用するときは、図２（ｃ）の状態から、折りたたみ順とは逆の順で折りたたみを解いて、図１（ａ）の状態にし、うがいや歯磨きなどのときに水を入れて使用できる。以上の実施例は紙コップの例を説明したが、プラスチックまたはアルミ箔コップでもよい。また、コップの形状は円形に限らず四角形でもよく、また、補強リブは必要に応じて設けるものであり、補強リブのないコップもある。
【図面の簡単な説明】
【０００９】
【図１】  （ａ）本考案によるコップの使用状態を示す斜視図  （ｂ）図１（ａ）のＡ−Ａ断面図
【図２】  （ａ）本考案によるコップの折りたたみ順を示す斜視図  （ｂ）折りたたみ順２まで折りたたんだコップの斜視図  （ｃ）最後まで折りたたんだコップの斜視図
【符号の説明】
【００１０】    １    折りたたみ順１
２    折りたたみ順２
３    折りたたみ順３
４    折りたたみ順４
１０  折りたたみ式紙コップ
１１  周壁面
１２  底面
１３  補強リブ
１４  折り目
【図１】
0003112697.tif 000003
【図２】
0003112697.tif 000004
(57)【要約】【課題】  スコップと鎌と鍬を一体化し、一つで複数の用途に使い分けることができる、使い勝手のよい、多用途園芸用具を得る。【解決手段】  平面視形状略十字形をなす平板状用具であって、その縦板両端にスコップを有し、該縦板と直交する横板の一端から袖にかけて鎌歯を設け、該横板他端から肩にかけて鍬部材を設けてなる。【選択図】  図１
0003112692.tif 000002
【実用新案登録請求の範囲】
【請求項１】
平面視形状略十字形をなす平板状用具であって、その縦板両端にスコップを有し、該縦板と直交する横板の一端から袖にかけて鎌歯を設け、該横板他端から肩にかけて鍬部材を設けてなる多用途園芸用具。
【考案の詳細な説明】
【技術分野】
【０００１】  本考案は、スコップと鎌と鍬を一体化し、一つで複数の用途に使い分けることができる、多用途園芸用具に関するものである。
【背景技術】
【０００２】  従来の園芸作業においては、掘る、刈る、鋤く、掻くといった作業目的に応じて、スコップ、鎌、鍬といった異なる道具を必要とし、そのつど道具を取り替える必要があった。その不便さを解消するため、実用新案登録第３０７４４０１号や同第３０３５７０３号といった、鍬と熊手を一体化した道具が考案され、すでに実用化されている。
【考案の開示】
【考案が解決しようとしている課題】
【０００３】  しかしながら、庭いじりや家庭菜園といった、比較的小規模な園芸作業に適した、一つで複数の用途に使い分けることができる、手軽で使い勝手の良い道具はなく、その出現が待ち望まれていた。
【０００４】  本考案は、その期待に応えるためになされたもので、すなわち、一つの道具で、掘る、刈る、鋤く、掻くといった異なる作業を手軽に行える、スコップと鎌と鍬を一体化した、使い勝手の良い、小規模園芸作業に適した、多用途園芸用具に関するものである。
【課題を解決するための手段】
【０００５】  すなわち、本考案による多用途園芸用具は、平面視形状略十字形をなす平板状の用具であって、その縦板両端にスコップを有し、該縦板と直交する横板の一端から袖にかけて鎌歯を設け、該横板他端から肩にかけて鍬部材を設けてなるものである。
【考案の効果】
【０００６】  よって、本考案による多用途園芸用具一つで、スコップ、鎌、鍬の複数の用途に使い分けることができ、掘る、刈る、鋤く、掻くといった異なる作業を、道具を取り替えることなくこなすことができる。
【考案を実施するための最良の形態】
【０００７】  以下、本考案による多用途園芸用具の最良の実施形態を図面に沿って説明する。図１は、本考案による多用途園芸用具の平面図であり、図２は、図１Ａ方向より見たその側面図である。本考案による多用途園芸用具（１）は、図のように、平面視形状略十字形をなす平板状の用具であって、金属板の打ち抜き等によって制作することができる。【０００８】  縦板両先端部には、それぞれスコップ（２、３）を設ける。その際、頭部スコップ（２）を幅狭とし、足部スコップ（３）を幅広とすることにより、同じスコップでも作業内容に応じて使い分けることができる。つまり、幅狭の頭部スコップ（２）は草の根の突き起こし作業等に適している。【０００９】  縦板中央部付近は握手（４）となる。握手（４）部分は金属板のままでもよいが、両面に木製やプラスチック製の平板をあてて、接着もしくはネジ（５）で固定すれば、握り易く、使い勝手の良いものとなる。【００１０】  縦板と直行する横板の一端から袖にかけて鎌歯（６、７）を設ける。横板先端の鋭利な鎌歯（６）は根切り作業に、横板袖の鎌歯（７）は、通常の草刈り作業に適している。【００１１】  横板他端から肩にかけて、鍬部材（８、９）を設ける。鍬部材（８、９）は、横板平板に対してほぼ垂直に一体化して取り付けられている。取り付け方法としては、金属板の打ち抜き加工時に、鎌部材部も共に一体化して打ち抜き、その後その鎌部材部を垂直に折り曲げ加工して成型することができる。【００１２】  横板より垂直に立ち上がった横長の鍬歯（８）は、掻き寄せ、草削り鍬として、先端の幅狭の鍬歯（９）は、土掘り鍬として用いることができる。なお、本考案による多用途園芸用具の大きさは、試作の結果、縦５０ｃｍ、横３０ｃｍ程度が最も使い易いことが分かったが、必ずしもそのサイズに限定することなく、本考案の構成要素の範囲で、用途に応じた大小さまざまなサイズが考えられる。【００１３】  材質は、これまで説明してきたように、鉄板やアルミ板等の金属版の打ち抜き加工により、全体を一体成型することもできるが、握手（４）の部分を木材やプラスチック製の柄とし、それに別個に製作した頭部のスコップ、鎌、鍬部材と足部スコップ部材とを装着して一体化することもできる。【００１４】  以上のように、本考案による多用途園芸用具は、一つの道具で、掘る、刈る、鋤く、掻くといった異なる作業を手軽にこなすことができ、かつ片手で扱うことがでるので、使い勝手も良く、小規模な園芸作業に適している。また、金属板の打ち抜き加工により一体成型できるので、製造コストも安価に押さえられる。
【図面の簡単な説明】
【００１５】
【図１】    本考案による多用途園芸用具の平面図。
【図２】    本考案による多用途園芸用具の側面図。
【符号の説明】
【００１６】    １        本考案による多用途園芸用具
２        頭部スコップ
３        足部スコップ
４        握手
５        固定ねじ
６        根切り鎌歯
７        草刈り鎌歯
８        掻き寄せ鍬
９        土掘り鍬
【図１】
0003112692.tif 000003
【図２】
0003112692.tif 000004
(57)【要約】      （修正有）【課題】濁水、海水の塵埃、濁色、臭気、鉄分を除去する事ができる濁水、海水濾過器の提供。【解決手段】必要な場所の高さ５０ｃｍ程度の台の上に置くだけで設置完了となる、一回に２０リットル、４０〜６０分で清水が得られる濁水、海水濾過器。【選択図】図１
0003112631.tif 000002
【実用新案登録請求の範囲】
【請求項１】
▲１▼台風、地震、津波、大雨等の自然災害発生時、被災地で一番必要なものは、清水です。飲料水については，給水車が出動しても、生活用水までは、間に合わないのが現状と思われます。ライフラインの復旧するまでの、洗顔、洗髪、洗浄、洗濯水等の、確保が必須条件と感じ、濁水、海水、濾過器を開発しました。。
▲２▼、持ち運び自由、電源も必要無し，配管工事も，必要無し。
【請求項２】
▲１▼この濾過器を使用を使用すれば，濁水，海水の、塵埃，、濁色、臭気、鉄分を除去します。
▲２▼海水の，塩分も５０％は，除去します。３〜４回連続濾過しますと更に、２０％ほど除去します。（実験の結果）
▲３▼、各県市区町村に、必要と思われる数量を備蓄して、災害発生時に被災地に配布し、現場で、濾過して活用して頂ければと、思っています。
【請求項３】
▲１▼濾過した水を、保健所等の確認さえ取れば、飲料水にも、利用出来るものです。
【考案の詳細な説明】
【技術分野】
【０００１】本考案は、災害発生時、いち早く濁水、海水濾過器を届け、被災者自身が、清水確保が出来、生活のひとつの安心が得られることを願い開発したものです。
【背景技術】
【０００２】ライフラインの復旧が遅れると益々生活用水の不足をきたし、非衛生的となり混乱の原因となる可能性があります。【０００３】濁水、海水の塵埃、濁色、臭気、鉄分を、除去します。
【考案の開示】
【考案が解決しようとする課題】
【０００４】採取する濁水、海水が、被災地の場所により不明な点が多い為、飲料水にするには、その場所の保健所等の確認が必要と、思いますが、生活用水としては、充分その目的を、果たせるものと、信じております。【０００５】本濾過器は、必要な場所の高さ５０ｃｍ程度の台の上に置くだけで設置完了です。【０００６】本濾過器は、電源及び、配管工事も不要です。【０００７】子供でも、老人、女性でも取り扱いは、簡単です。【０００８】上部より濁水、海水を、投入すると（一回に、約２０リットル）４０分〜６０分で、２０リットル近くの清水が得られます。連続投入しても、大丈夫です。
【図面の簡単な説明】
【０００９】
【図１】本考案の、濁水、海水濾過器の、側面図である。
【図２】本考案の、断面図である。
【符号の説明】
【００１０】１    濾過器（ポリバケツ）
２    砂
３    濾紙フィルター
４    杉の葉
５    活性炭
６    玉砂利
【図１】
0003112631.tif 000003
【図２】
0003112631.tif 000004
【手続補正書】
【提出日】平成17年4月15日(2005.4.15)
【手続補正１】
【補正対象書類名】実用新案登録請求の範囲
【補正対象項目名】全文
【補正方法】変更
【補正の内容】
【実用新案登録請求の範囲】
【請求項１】
ポリバケツの最下部に出水口を取り付け、玉砂利、活性炭、杉の葉、濾紙フイルター、砂を順番に入れ組み立てた、濁水濾過器。